(57)【要約】【課題】  通常時には給油客にどちらの計量機で給油すべきかを選択させる必要がなく、しかも給油情報用ＬＡＮに不具合が発生した場合でも、給油が可能な給油所システムを提供する。【解決手段】  第１ＰＯＳ端末１７Ａと第１セルフサービス操作器１５Ａと複数台の計量機１Ａ、１Ｂとを第１給油情報用ＬＡＮ１９Ａを介して接続する。第２ＰＯＳ端末１７Ｂと第２セルフサービス操作器１５Ｂと複数台の計量機１Ａ、１Ｂとを第２給油情報用ＬＡＮ１９Ｂを介して接続する。これにより給油情報用ＬＡＮの回線が２重化され、第１及び２給油情報用ＬＡＮ（１９Ａ及び１９Ｂ）の両方に不具合が生じない限り、全ての計量機が給油不能に陥ることがなくなる。【選択図】  図１
2014028657.tif 000002
【特許請求の範囲】
【請求項１】
セルフサービスの給油所における給油と決済とを処理する給油所システムであって、
第１決済方法で給油を行う場合に操作する第１入出力機と、前記第１決済方法とは異なる第２決済方法で給油を行う場合に操作する第２入出力機と、前記第１入出力機及び第２入出力機に対する入力操作に応じて給油動作を制御し且つ前記第１入出力機に対する入力操作に応じた前記給油動作に基づく給油情報を出力する第１情報入出力部及び前記第２入出力機に対する入力操作に応じた前記給油動作に基づく給油情報を出力する第２情報入出力部を備えた給油動作制御部とを備えた複数台の計量機と、
前記複数台の計量機の複数の前記第１情報入出力部と第１給油情報用ＬＡＮを介して接続され、前記第１入出力機が入力操作されたことにより前記給油動作制御部が前記給油動作を行う場合に、前記計量機における給油を許可する給油許可信号を所定条件が満たされたときに前記第１情報入出力部に転送する第１セルフサービス操作器と、
前記第１入出力機に対する入力操作に応じて前記給油許可信号を前記第１セルフサービス操作器を経由して前記第１給油情報用ＬＡＮを介して前記第１情報入出力部に送り、前記第１情報入出力部から出力された前記給油情報に基づいて前記第１決済方法により決済を行う第１ＰＯＳ端末と、
前記複数台の計量機の複数の前記第２情報入出力部と第２給油情報用ＬＡＮを介して接続され、前記第２入出力機が入力操作されたことにより前記給油動作制御部が給油動作を行う場合に、前記計量機における給油を許可する給油許可信号を所定条件が満たされたときに前記第２情報入出力部に転送する第２セルフサービス操作器と、
前記第２入出力機に対する入力操作に応じて前記給油許可信号を前記第２セルフサービス操作器を経由して前記第２給油情報用ＬＡＮを介して前記第２情報入出力部に送り、前記第２情報入出力部から出力された前記給油情報に基づいて前記第２決済方法により決済を行う第２ＰＯＳ端末とを備えていることを特徴とする給油所システム。
【請求項２】
セルフサービスの給油所における給油と決済とを処理する給油所システムであって、
第１決済方法で給油を行う場合に操作する第１入出力機と、前記第１決済方法とは異なる第２決済方法で給油を行う場合に操作する第２入出力機と、前記第１入出力機及び第２入出力機に対する入力操作に応じて給油動作を制御し且つ前記第１入出力機に対する入力操作に応じた前記給油動作に基づく給油情報を出力する第１情報入出力部及び前記第２入出力機に対する入力操作に応じた前記給油動作に基づく給油情報を出力する第２情報入出力部を備えた給油動作制御部とを備え、前記計量機の内部に前記第１入出力機及び前記給油動作制御部が内蔵され、前記計量機の外部に前記第２入出力機が配置された構成を有する複数の計量機ユニットと、
前記複数台の計量機ユニットの複数の前記第１情報入出力部と第１給油情報用ＬＡＮを介して接続され、前記第１入出力機が入力操作されたことにより前記給油動作制御部が前記給油動作を行う場合に、前記計量機における給油を許可する給油許可信号を所定条件が満たされたときに前記第１情報入出力部に転送する第１セルフサービス操作器と、
前記第１入出力機に対する入力操作に応じて前記給油許可信号を前記第１セルフサービス操作器を経由して前記第１給油情報用ＬＡＮを介して前記第１情報入出力部に送り、前記第１情報入出力部から出力された前記給油情報に基づいて前記第１決済方法により決済を行う第１ＰＯＳ端末と、
前記複数台の計量機ユニットの複数の前記第２情報入出力部と第２給油情報用ＬＡＮを介して接続され、前記第２入出力機が入力操作されたことにより前記給油動作制御部が前記給油動作を行う場合に、前記計量機における給油を許可する給油許可信号を所定条件が満たされたときに前記第２情報入出力部に転送する第２セルフサービス操作器と、
前記第２入出力機に対する入力操作に応じて前記給油許可信号を前記第２セルフサービス操作器を経由して前記第２給油情報用ＬＡＮを介して前記第２情報入出力部に送り、前記第２情報入出力部から出力された前記給油情報に基づいて前記第２決済方法により決済を行う第２ＰＯＳ端末とを備えていることを特徴とする給油所システム。
【請求項３】
前記第１セルフサービス操作器と前記第２セルフサービス操作器とは、相互に通信接続されて、前記第１決済方法及び前記第２決済方法の一方が使用されているときに、他方の決済方法が使用できないように、前記第１ＰＯＳ端末及び第２ＰＯＳ端末を制御するように構成されている請求項１または２に記載の給油所システム。
【請求項４】
前記第１ＰＯＳ端末と前記第２ＰＯＳ端末とは、相互に通信接続されて、前記第１決済方法及び前記第２決済方法の一方が使用されているときに、他方の決済方法が使用できないように構成されている請求項１または２に記載の給油所システム。
【請求項５】
前記第１決済方法が、現金またはクレジットカードによる決済方法であり、前記第２決済方法がプリペイドカードによる決済方法である請求項１乃至４のいずれか１項に記載の給油所システム。
【発明の詳細な説明】
【技術分野】
【０００１】
本発明は、異なる決済方式での決済が可能なセルフサービスの給油所システムに関するものである。
【背景技術】
【０００２】
特開２００５−１４５５３７号公報（特許文献１）の図２に記載の給油所システムでは、決済方法の異なる２台のＰＯＳ装置が、複数台の計量機と給油情報をやり取りするとき、切替スイッチを介して、共通の給油情報用ＬＡＮ（ＳＳ−ＬＡＮ）を通じて情報を送受している。
【０００３】
また特開２００６−１９９３５７号公報（特許文献２）の図１に記載の給油所システムでも、決済方法の異なる２台のＰＯＳ端末は、２系統制御端末を介し、共通の給油情報用ＬＡＮ（ＳＳ−ＬＡＮ）を通じて情報を送受している。そしてこれらの切替装置（「切替スイッチ」或いは「２系統制御端末」）はどちらの決済方法が選択されているかを監視し、１台の計量機が２台のＰＯＳ端末（ＰＯＳ装置）と同時に給油情報をやり取りしないよう制御している。
【０００４】
このように共通の給油情報用ＬＡＮと切替装置を用いた構成では、切替装置や共通の給油情報用ＬＡＮに不具合が生じた場合、計量機は全く給油を行えなくなる。
【０００５】
そこで特開２００６−１９９３５７号公報（特許文献２）の図４に示されるように、給油所内のレーンを現金、カード専用レーンとプリペイドカード専用レーンに分け、別々のＰＯＳ端末で独立に管理運営する給油所システムが提案された。
【先行技術文献】
【特許文献】
【０００６】
【特許文献１】特開２００５−１４５５３７号公報（図２）
【特許文献２】特開２００６−１９９３５７号公報（図１，図４）
【発明の概要】
【発明が解決しようとする課題】
【０００７】
給油所内のレーンを現金、カード専用レーンとプリペイドカード専用レーンに分けて、別々のＰＯＳ端末で独立に管理運営すれば、一方の給油情報用ＬＡＮに不具合が発生しても他方で給油可能である。しかしながら、給油所内の全ての計量機で給油が可能なわけではなく、しかも通常時には給油客にどちらの計量機で給油すべきかを選択させることになり、利便性に欠ける問題が生じる。
【０００８】
本発明の目的は、通常時には給油客にどちらの計量機で給油すべきかを選択させる必要がなく、しかも給油情報用ＬＡＮに不具合が発生した場合でも、給油が可能な給油所システムを提供することにある。
【０００９】
上記目的に加えて、本発明の他の目的は、一方の決済方法が使用されているときに、他方の決済方法が使用できない給油所システムを提供することにある。
【課題を解決するための手段】
【００１０】
本発明は、セルフサービスの給油所における複数台の計量機における給油と決済とを処理する給油所システムを改良の対象とする。複数台の計量機は、それぞれ第１決済方法で給油を行う場合に操作する第１入出力機と、第１決済方法とは異なる第２決済方法で給油を行う場合に操作する第２入出力機と、第１入出力機及び第２入出力機に対する入力操作に応じて給油動作を制御し且つ第１入出力機に対する入力操作に応じた給油動作に基づく給油情報を出力する第１情報入出力部及び第２入出力機に対する入力操作に応じた給油動作に基づく給油情報を出力する第２情報入出力部を備えた給油動作制御部とを備えている。本発明では、複数台の計量機の複数の第１情報入出力部と、第１入出力機が入力操作されたことにより給油動作制御部が給油動作を行う場合に、計量機における給油を許可する給油許可信号を所定条件が満たされたときに給油動作制御部の第１情報入出力部に転送する第１セルフサービス操作器とを第１給油情報用ＬＡＮを介して接続する。第１ＰＯＳ端末は、第１入出力機に対する入力操作に応じて給油許可信号を第１セルフサービス操作器を経由して第１給油情報用ＬＡＮを介して第１情報入出力部に送り、第１情報入出力部から出力された給油情報に基づいて第１決済方法により決済を行う。なお第１情報入出力部は給油許可信号の入力を受ける機能を有している。また第２入出力機が入力操作されたことにより給油動作制御部が給油動作を行う場合に、計量機における給油を許可する給油許可信号を所定条件が満たされたときに給油動作制御部の第２情報入出力部に転送する第２セルフサービス操作器と複数台の計量機の複数の第２情報入出力部とを、第１給油情報用ＬＡＮとは異なる第２給油情報用ＬＡＮを介して接続する。第２ＰＯＳ端末は、第２入出力機に対する入力操作に応じて給油許可信号を第２セルフサービス操作器を経由して第２給油情報用ＬＡＮを介して第２情報入出力部に送り、第２情報入出力部から出力された給油情報に基づいて第２決済方法により決済を行う。なお第２情報入出力部は給油許可信号の入力を受ける機能を有している。
【００１１】
なお本発明は、計量機の内部に第１入出力機及び給油動作制御部を内蔵し、計量機の外部に第２入出力機が配置された構成を有する複数の計量機ユニットを用いる場合にも、当然にして適用することができる。
【００１２】
本発明においては、複数台の計量機（または計量機ユニット）の複数の第１情報入出力部と第１ＰＯＳ端末とを第１給油情報用ＬＡＮ及び第１セルフサービス操作器を介して接続し、複数台の計量機（または計量機ユニット）の複数の第２情報入出力部と第２ＰＯＳ端末とを第２給油情報用ＬＡＮ及び第２セルフサービス操作器を介して接続して、給油情報用ＬＡＮの回線を２重化しているので、第１及び第２給油情報用ＬＡＮの両方に不具合が生じない限り、全ての計量機が給油不能に陥るおそれがない。また通常時には、給油客にどちらの計量機で給油すべきかを選択させる必要がなく、給油客の利便性を欠くことがない。更に、切替装置がないので、切替装置の不具合で計量機が給油不能に陥るおそれがない。
【００１３】
本発明によれば、切替装置がないため、給油客の操作の誤りにより、第１及び第２ＰＯＳ端末において、第１及び第２決済方法がほぼ同時期に選択されるおそれがある。そこでこのようなことを防ぐためには、第１セルフサービス操作器と第２セルフサービス操作器とを相互に通信接続して、先に選択された決済方法以外の決済方法は受け付けない、或いは第１決済方法及び第２決済方法の一方が使用されているときに、他方の決済方法が使用できないように、第１ＰＯＳ端末及び第２ＰＯＳ端末を制御するように第１セルフサービス操作器と第２セルフサービス操作器を構成すればよい。また第１ＰＯＳ端末と第２ＰＯＳ端末とを相互に通信接続し、先に選択された決済方法以外の決済方法は受け付けない、或いは第１決済方法及び第２決済方法の一方が使用されているときに、他方の決済方法が使用できないように、第１ＰＯＳ端末と第２ＰＯＳ端末とを構成すればよい。
【図面の簡単な説明】
【００１４】
【図１】本発明の給油システムの第１の実施の形態の構成を示すブロック図である。
【図２】計量機等の概略構成図である。
【図３】現金支払い時の運用チャートである。
【図４】プリペイドカード支払い時の運用チャートである。
【図５】本発明の給油システムの第２の実施の形態の構成を示すブロック図である。
【図６】本発明の給油システムの第３の実施の形態の構成を示すブロック図である。
【図７】本発明の給油システムの第４の実施の形態の構成を示すブロック図である。
【発明を実施するための形態】
【００１５】
以下図面を参照して本発明の実施の形態を詳細に説明する。図１は、セルフサービスの給油所における複数台（図１では２台）の計量機（１Ａ及び１Ｂ）における給油と決済とを処理する給油所システムの第１の実施の形態の構成を示すブロック図である。図１には、第１及び第２計量機１Ａ及び１Ｂの構成要素の一部を示し、図２には、計量機１Ａ及び１Ｂの構成要素の大部分を示してある。第１及び第２計量機１Ａ及び１Ｂは、それぞれ現金、クレジットカード決済（第１決済方法）で給油を行う場合に操作する第１入出力機３Ａ及び３Ｂと、プリペイドカード決済（第１決済方法とは異なる第２決済方法）で給油を行う場合に操作する第２入出力機５Ａ及び５Ｂを備えている。また第１及び第２計量機１Ａ及び１Ｂは、第１入出力機３Ａ、３Ｂに対する入力操作に応じて給油動作を制御し、また第２入出力機５Ａ、５Ｂに対する入力操作に応じて給油動作を制御する給油動作制御部７を備えている。給油動作制御部７は、第１入出力機３Ａ、３Ｂに対する入力操作に対応した給油動作に基づく給油情報を出力する第１情報入出力部１４Ａ及び且つ第２入出力機５Ａ及び５Ｂに対する入力操作に対応した給油動作に基づく給油情報を出力する第２情報入出力部１４Ｂとを備えている。給油動作制御部７は、図示しないノズルがノズル掛けから外されたことを検出するノズル検出手段９と、ノズルを通して給油した量を計量する計量手段１１と、計量機制御部１３とを備えている。計量機制御部１３は、ノズル検出手段９の検出出力、計量手段１１の計量出力を給油情報として、第１情報入出力部１４Ａ及び第２情報入出力部１４Ｂと第１セルフサービス操作器（第１ＳＳＣ）１５Ａ及び第２セルフサービス操作器（第２ＳＳＣ）１５Ｂを介して第１ＰＯＳ端末１７Ａ及び第２ＰＯＳ端末１７Ｂに送信するとともに、後述する給油許可信号を受信して給油動作を制御する。
【００１６】
図２に示すように、第１入出力機３Ａ（３Ｂ）は、液晶パネルからなる第１表示機、クレジットカードの読み取りを行う第１読取機、入力スイッチからなる第１入力手段、レシートをプリントする第１プリンタ、投入された紙幣を識別する第１紙幣識別機を備えている。また第２入出力機５Ａ（５Ｂ）は、液晶パネルからなる第２表示機、プリペイドカードの読み取りを行う第２読取機、入力スイッチからなる第２入力手段、レシートをプリントする第２プリンタ、プリペイドカードの購入、或いはプリペイドカードにチャージするため投入された紙幣を識別する第２紙幣識別機を備えている。
【００１７】
図１に示すように、本実施の形態では、第１給油情報用ＬＡＮ（ＳＳ−ＬＡＮ）１９Ａを介して、第１計量機１Ａ及び第２計量機１Ｂの第１情報入出力部１４Ａを第１セルフサービス操作器（第１ＳＳＣ）１５Ａに接続している。また本実施の形態では、第２給油情報用ＬＡＮ（ＳＳ−ＬＡＮ）１９Ｂを介して、第１計量機１Ａ及び第２計量機１Ｂの第２情報入出力部１４Ｂを第２セルフサービス操作器（第２ＳＳＣ）１５Ｂに接続している。そして第１及び第２セルフサービス操作器１５Ａ及び１５Ｂは、それぞれ第１及び第２給油情報用ＬＡＮ１９Ａ及び１９Ｂを介して第１ＰＯＳ端末１７Ａ及び第２ＰＯＳ端末１７Ｂに接続されている。第１セルフサービス操作器１５Ａは、第１入出力機３Ａ、３Ｂが入力操作されたことにより給油動作制御部７が給油動作を行う場合に、第１ＰＯＳ端末が出力した計量機１Ａ、１Ｂにおける給油を許可する給油許可信号を保留しておき、所定条件が満たされたときに給油動作制御部７に第１給油情報用ＬＡＮを介して転送する。第２セルフサービス操作器１５Ｂは、第２入出力機５Ａ、５Ｂが入力操作されたことにより給油動作制御部７が給油動作を行う場合に、第２ＰＯＳ端末が出力した計量機１Ａ、１Ｂにおける給油を許可する給油許可信号を保留しておき、所定条件が満たされたときに給油動作制御部７に第２給油情報用ＬＡＮを介して転送する。
【００１８】
ＰＯＳ端末は、パーソナルコンピュータ技術をベースに作られており、ＰＯＳ外設機（第１入出力機及び第２入出力機）とは標準情報通信網の伝送路に関する規格であるイーサネット（登録商標）によるＬＡＮで接続されている。第１ＰＯＳ端末１７Ａは、第１入出力機３Ａ、３Ｂに対する入力操作に応じて給油許可信号を第１セルフサービス操作器１５Ａを経由して第１給油情報用ＬＡＮ１９Ａを介して第１情報入出力部１４Ａに送り、第１情報入出力部１４Ａから出力された給油情報に基づいて第１決済方法により決済を行う。なお第１情報入出力部１４Ａは給油許可信号の入力を受ける機能を有している。第２ＰＯＳ端末１７Ｂは、第２入出力機５Ａ、５Ｂに対する入力操作に応じて給油許可信号を第２セルフサービス操作器１５Ｂを経由して第２給油情報用ＬＡＮ１９Ｂを介して第２情報入出力部１４Ｂに送り、第２情報入出力部１４Ｂから出力された給油情報に基づいて第２決済方法により決済を行う。なお第２情報入出力部１４Ｂは給油許可信号の入力を受ける機能を有している。本実施の形態では、第１入出力機３Ａ及び３Ｂは、イーサネット（登録商標）などの第１通信回線２１Ａを介して第１ＰＯＳ端末１７Ａに接続され、第２入出力機５Ａ及び５Ｂも、イーサネット（登録商標）などの第２通信回線２１Ｂを介して第２ＰＯＳ端末１７Ｂに接続されている。
【００１９】
本実施の形態において、現金支払いが行われる場合の動作を図３に示した現金支払い時の運用チャートを用いて説明する。図３の運用チャートは、第１計量機１Ａの第１入出力機３Ａを用いて現金支払いを行う場合のチャートである。第１入出力機３Ａにおいて、現金が挿入され、油種設定が行われ、給油量の数量設定が行われると、第１通信回線２１Ａを介して第１ＰＯＳ端末１７Ａにこれらの情報が送信される。この情報の送信を受けて第１ＰＯＳ端末１７Ａは、給油許可信号を第１セルフサービス操作器１５Ａに送信する。給油許可信号を受けた第１セルフサービス操作器１５Ａは、第１給油情報用ＬＡＮ（ＳＳ−ＬＡＮ）１９Ａを介して第１計量機１Ａの計量機制御部１３（第１情報入出力部１４Ａ）からノズル検出手段９が出力したノズルＯＮ信号（ノズルがノズル掛けから外されたことを検出したときノズル検出手段９が出力する信号）を受信すると、給油所のスタッフに給油許可信号を計量機制御部１３（第１情報入出力部１４Ａ）へ出力する操作を促すためのアラームを表示部に表示する。ノズルがノズル掛けから外された時点で計量機制御部１３は、どちらの決済方法が選択されているか判断できない（知る必要が無い）ので、ノズルＯＮ信号は、第２給油情報用ＬＡＮ１９Ｂを介して第２セルフサービス操作器１５Ｂにも送信される。第２ＰＯＳ端末から給油許可信号を受信していない状態でノズルＯＮ信号を受信した第２セルフサービス操作器１５Ｂは、第１計量機１Ａに対して非動作状態になる。給油所のスタッフが図示しないモニターで計量機周辺の安全を確認した後、給油許可信号を計量機制御部１３（第１情報入出力部１４Ａ）に転送する操作を行うと（所定条件が満たされると）、第１セルフサービス操作器１５Ａから給油許可信号が、第１給油情報用ＬＡＮ（ＳＳ−ＬＡＮ）１９Ａを介して第１計量機１Ａの計量機制御部１３（第１情報入出力部１４Ａ）に送信され、第１計量機１Ａでの給油動作が可能になる。そしてこの時点で、計量機制御部１３はどちらの決済方法が選択されているかを知ることとなる。利用者がノズルのレバーを引いて給油が開始されると計量手段１１から計量情報が第１給油情報用ＬＡＮ（ＳＳ−ＬＡＮ）１９Ａを介して第１セルフサービス操作器１５Ａに送信され、第１セルフサービス操作器１５Ａはその情報を第１ＰＯＳ端末１７Ａに伝送する。給油を終了するために、ノズルのレバーを戻して給油を停止し、ノズルをノズル掛けに戻すと、ノズルＯＦＦ信号（ノズルがノズル掛けに戻されたことを検出したときノズル検出手段９が出力する信号）が第１計量機１Ａから第２給油情報用ＬＡＮ（ＳＳ−ＬＡＮ）１９Ｂを介して第２セルフサービス操作器１５Ｂに送信され、第２セルフサービス操作器１５Ｂは第１計量機１Ａに対して動作可能状態となり、第２ＰＯＳ端末１７Ｂを第１計量機１Ａに対して動作可能状態にする。ノズルＯＦＦ信号が出力されるのと同時に、第１計量機１Ａは計量手段１１が計測した計量情報と一緒に給油完了信号を、第１給油情報用ＬＡＮ１９Ａを介して第１計量機１Ａの計量機制御部１３（第１情報入出力部１４Ａ）から第１セルフサービス操作器１５Ａへ送信する。第１セルフサービス操作器１５Ａは、受信した計量情報と給油完了信号を第１ＰＯＳ端末１７Ａに伝送し、第１ＰＯＳ端末１７Ａは現金による決済処理を実行する。
【００２０】
図４の運用チャートは、第１計量機１Ａの第２入出力機５Ａを用いてプリペイドカードにより支払いを行う場合のチャートである。第２入出力機５Ａにおいて、プリペイドカードが挿入され、油種設定が行われ、給油量の数量設定が行われると、第２通信回線２１Ｂを介して第２ＰＯＳ端末１７Ｂにこれらの情報が送信される。この情報の送信を受けて第２ＰＯＳ端末１７Ｂは、給油許可信号を第２セルフサービス操作器１５Ｂに送信する。給油許可信号を受けた第２セルフサービス操作器１５Ｂは、第２給油情報用ＬＡＮ（ＳＳ−ＬＡＮ）１９Ｂを介して第１計量機１Ａの計量機制御部１３（第２情報入出力部１４Ｂ）からノズル検出手段９が出力したノズルＯＮ信号（ノズルがノズル掛けから外されたことを検出したときにノズル検出手段９が出力する信号）を受信すると、給油所のスタッフに給油許可信号を計量機制御部１３（第２情報入出力部１４Ｂ）へ出力する操作を促すためのアラームを表示部に表示する。ノズルがノズル掛けから外された時点で計量機制御部１３は、どちらの決済方法が選択されているか判断できない（知る必要が無い）ので、ノズルＯＮ信号は、第１給油情報用ＬＡＮ１９Ａを介して第１セルフサービス操作器１５Ａにも送信される。第１ＰＯＳ端末から給油許可信号を受信していない状態でノズルＯＮ信号を受信した第１セルフサービス操作器１５Ａは、第１計量機１Ａに対して非動作状態になる。給油所のスタッフが図示しないモニターで計量機周辺の安全を確認した後、給油許可信号を計量機制御部１３（第２情報入出力部１４Ｂ）に出力する操作を行うと（所定条件が満たされると）、第２セルフサービス操作器１５Ｂから給油許可信号が、第２給油情報用ＬＡＮ１９Ｂを介して第１計量機１Ａの計量機制御部１３（第２情報入出力部１４Ｂ）に送信され、第１計量機１Ａでの給油動作が可能になる。そしてこの時点で、計量機制御部１３はどちらの決済方法が選択されているかを知ることとなる。利用者がノズルのレバーを引いて給油が開始されると計量手段１１から計量情報が第２給油情報用ＬＡＮ１９Ｂを介して第２セルフサービス操作器１５Ｂに送信され、第２セルフサービス操作器１５Ｂはその情報を第２ＰＯＳ端末１７Ｂに伝送する。給油を終了するために、ノズルのレバーを戻して給油を停止し、ノズルをノズル掛けに戻すと、ノズルＯＦＦ信号（ノズルがノズル掛けに戻されたこと検出したときノズル検出手段９が出力する信号）が第１計量機１Ａから第１給油情報用ＬＡＮ１９Ａを介して第１セルフサービス操作器１５Ａに送信され、第１セルフサービス操作器１５Ａは第１計量機１Ａに対して動作可能状態となり、第１ＰＯＳ端末１７Ａを第１計量機１Ａに対して動作可能状態にする。ノズルＯＦＦ信号が出力されるのと同時に、第１計量機１Ａは計量手段１１が計測した計量情報と一緒に給油完了信号を第２給油情報用ＬＡＮ１９Ｂを介して第１計量機１Ａの計量機制御部１３（第２情報入出力部１４Ｂ）から第２セルフサービス操作器１５Ｂへ送信する。第２セルフサービス操作器１５Ｂは、受信した計量情報と給油完了信号を第２ＰＯＳ端末１７Ｂに伝送し、第２ＰＯＳ端末１７Ｂはプリペイドカードによる決済処理を実行する。
【００２１】
本実施の形態においては、第１ＰＯＳ端末１７Ａと第１セルフサービス操作器１５Ａと計量機１Ａ及び１Ｂの第１情報入出力部１４Ａとを第１給油情報用ＬＡＮ１９Ａを介して接続し、第２ＰＯＳ端末１７Ｂと第２セルフサービス操作器１５Ｂと計量機１Ａ及び１Ｂの第２情報入出力部１４Ｂとを第２給油情報用ＬＡＮ１９Ｂを介して接続して給油情報用ＬＡＮの回線を２重化しているので、第１及び第２給油情報用ＬＡＮ１９Ａ及び１９Ｂの両方に不具合が生じない限り、全ての計量機が給油不能に陥るおそれがない。
【００２２】
上記実施の形態では、第２入出力機５Ａ及び５Ｂが計量機１Ａ及び１Ｂ内に設けられているが、図５に示す第２の実施の形態のように、計量機１Ａ´及び１Ｂ´外に独立して設置されてもよい。図５の例では、計量機１Ａ´及び１Ｂ´の内部に第１入出力機３Ａ及び３Ｂ、計量機制御部１３を含む給油動作制御部７が内蔵され、計量機１Ａ´及び１Ｂ´の外部に第２入出力機５Ａ及び５Ｂが配置された構成により複数の計量機ユニットが構成されている。なお図５において図１に示した構成要素と同様の構成要素には、図１に付した符号と同じ符号を付して説明を省略する。
【００２３】
上記実施の形態によれば、切替装置がないため、給油客の操作の誤りにより、第１及び第２ＰＯＳ端末において、第１及び第２決済方法がほぼ同時期に選択されるおそれがある。そこでこのようなことを防ぐためには、図６に示すように、第１セルフサービス操作器１５Ａと第２セルフサービス操作器１５Ｂとを相互に通信接続して、先に選択された決済方法以外の決済方法は受け付けない、或いは第１決済方法及び第２決済方法の一方が使用されているときに、他方の決済方法が使用できないように、第１ＰＯＳ端末１７Ａ及び第２ＰＯＳ端末１７Ｂを制御するように第１セルフサービス操作器１５Ａと第２セルフサービス操作器１５Ｂを構成すればよい。また図７に示すように、第１ＰＯＳ端末１７Ａと第２ＰＯＳ端末１７Ｂとを相互に通信接続し、先に選択された決済方法以外の決済方法は受け付けない、或いは第１決済方法及び第２決済方法の一方が使用されているときに、他方の決済方法が使用できないように、第１ＰＯＳ端末１７Ａと第２ＰＯＳ端末１７Ｂとを構成すればよい。なお、第１ＰＯＳ端末１７Ａと第２ＰＯＳ端末１７Ｂは、給油所内の夫々の計量機と個別に給油情報の送受信を行っているので、決裁方法が決定していない計量機は、依然としてどちらの決済方法も選択可能である。
【００２４】
なお第１乃至第４の実施の形態では、第１セルフサービス操作器１５Ａ及び第２セルフサービス操作器１５Ｂと、第１ＰＯＳ端末１７Ａ及び第２ＰＯＳ端末１７Ｂとを、第１給油情報用ＬＡＮ１９Ａ及び第２給油情報用ＬＡＮ１９Ｂを介して接続しているが、第１セルフサービス操作器１５Ａと第１ＰＯＳ端末１７Ａ、第２セルフサービス操作器１５Ｂと第２ＰＯＳ端末１７Ｂは一体で構成してもよい。
【産業上の利用可能性】
【００２５】
本発明によれば、第１ＰＯＳ端末と第１セルフサービス操作器と複数台の計量機とを第１給油情報用ＬＡＮを介して接続し、第２ＰＯＳ端末と第２セルフサービス操作器と複数台の計量機とを第２給油情報用ＬＡＮを介して接続して給油情報用ＬＡＮの回線を２重化しているので、第１及び第２給油情報用ＬＡＮの両方に不具合が生じない限り、全ての計量機が給油不能に陥るおそれがない給油所システムを提供することができる。
【符号の説明】
【００２６】
１Ａ        第１計量機
１Ｂ        第２計量機
３Ａ        第１入出力機
３Ｂ        第１入出力機
５Ａ        第２入出力機
５Ｂ        第２入出力機
７          給油動作制御部
９          ノズル検出手段
１１        計量手段
１３        計量機制御部
１４Ａ      第１情報入出力部
１４Ｂ      第２情報入出力部
１５Ａ      第１セルフサービス操作器
１５Ｂ      第２セルフサービス操作器
１７Ａ      第１ＰＯＳ端末
１７Ｂ      第２ＰＯＳ端末
１９Ａ      第１給油情報用ＬＡＮ
１９Ｂ      第２給油情報用ＬＡＮ
２１Ａ      第１通信回線
２１Ｂ      第２通信回線
【図１】
2014028657.tif 000003
【図２】
2014028657.tif 000004
【図３】
2014028657.tif 000005
【図４】
2014028657.tif 000006
【図５】
2014028657.tif 000007
【図６】
2014028657.tif 000008
【図７】
2014028657.tif 000009